(57)【要約】  本発明の実施例は、オブジェクト読み込み領域と関係設定領域とを少なくとも含むページの構築インタフェースを提供することと、オブジェクト読み込み領域に業務表が読み込まれたかを判断することと、関係設定領域で関係タイプが選択されたかを判断することと、オブジェクト読み込み領域に業務表が読み込まれ、かつ関係設定領域で前記関係タイプが選択された場合、読み込まれた業務表と選択した関係タイプからページのメタデータを生成することと、ページ生成指令を受信すると、前記業務シナリオに関連するページをページのメタデータに基づいて生成することとを含むページ構築方法を開示する。本発明の実施例は、さらに端末、コンピュータ読み取り可能な記憶媒体およびページ構築機器を開示する。本発明の実施例によれば、開発作業量を減少させ、ページ構築効率を向上させることができる。【選択図】図１
2019506645.tif 000002
【特許請求の範囲】
【請求項１】
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、
前記オブジェクト読み込み領域に前記業務表が読み込まれたかを判断することと、
前記関係設定領域で前記関係タイプが選択されたかを判断することと、
前記オブジェクト読み込み領域に前記業務表が読み込まれ、かつ前記関係設定領域で前記関係タイプが選択された場合、読み込まれた業務表と選択した関係タイプからページのメタデータを生成することと、
ページ生成指令を受信すると、前記業務シナリオに関連するページをページのメタデータに基づいて生成することとを含むことを特徴とするページ構築方法。
【請求項２】
ページ生成指令を受信すると、前記業務シナリオに関連するページをページのメタデータに基づいて生成する前に、
ユーザによる活性化に供する生成アイコンを前記構築インタフェースで設定することと、
前記生成アイコンに対するユーザの活性化操作を受信すると、前記ページ生成指令を生成することとをさらに含むことを特徴とする請求項１に記載の方法。
【請求項３】
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする請求項１に記載の方法。
【請求項４】
生成した前記ページを表示することをさらに含み、
前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されていることを特徴とする請求項１に記載の方法。
【請求項５】
ユーザが前記ページでクリックして選択した業務表を受信すると、前記業務表の属性情報の編集をユーザに供するように前記業務表の属性情報編集ウィンドウを表示することと、
前記業務表の属性情報に対するユーザの編集操作を受信すると、前記業務表の属性情報を編集することとをさらに含むことを特徴とする請求項４に記載の方法。
【請求項６】
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供するための提供ユニットと、
前記オブジェクト読み込み領域に前記業務表が読み込まれたか、および前記関係設定領域で前記関係タイプが選択されたかを判断するための判断ユニットと、
前記オブジェクト読み込み領域に前記業務表が読み込まれ、かつ前記関係設定領域で前記関係タイプが選択された場合、読み込まれた業務表と選択した関係タイプからページのメタデータを生成し、ページ生成指令を受信すると、前記業務シナリオに関連するページをページのメタデータに基づいて生成するための生成ユニットとを含むことを特徴とする端末。
【請求項７】
ユーザによる活性化に供する生成アイコンを前記構築インタフェースで設定するための設定ユニットをさらに含み、
前記生成ユニットは、生成アイコンに対するユーザの活性化操作を受信すると、前記ページ生成指令を生成することを特徴とする請求項６に記載の端末。
【請求項８】
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする請求項６に記載の端末。
【請求項９】
生成した前記ページを表示するための表示ユニットをさらに含み、
前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されていることを特徴とする請求項６に記載の端末。
【請求項１０】
前記表示ユニットは、さらに、ユーザが前記ページでクリックして選択した業務表を受信すると、前記業務表の属性情報の編集をユーザに供するように前記業務表の属性情報編集ウィンドウを表示し、
前記業務表の属性情報に対するユーザの編集操作を受信すると、前記業務表の属性情報を編集するための編集ユニットをさらに含むことを特徴とする請求項９に記載の端末。
【請求項１１】
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、
前記オブジェクト読み込み領域に前記業務表が読み込まれたかを判断することと、
前記関係設定領域で前記関係タイプが選択されたかを判断することと、
前記オブジェクト読み込み領域に前記業務表が読み込まれ、かつ前記関係設定領域で前記関係タイプが選択された場合、読み込まれた業務表と選択した関係タイプからページのメタデータを生成することと、
ページ生成指令を受信すると、前記業務シナリオに関連するページをページのメタデータに基づいて生成することとを実現するように、
１つ以上のプロセッサに実行される１つ以上のプログラムが格納されていることを特徴とするコンピュータ読み取り可能な記憶媒体。
【請求項１２】
前記業務シナリオに関連するページをページのメタデータに基づいて生成する前に、
さらに、ユーザによる活性化に供する生成アイコンを前記構築インタフェースで設定することと、
前記生成アイコンに対するユーザの活性化操作を受信すると、前記ページ生成指令を生成することとを実現するように、
前記１つ以上のプログラムが前記１つ以上のプロセッサに実行されることを特徴とする請求項１１に記載のコンピュータ読み取り可能な記憶媒体。
【請求項１３】
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする請求項１１に記載のコンピュータ読み取り可能な記憶媒体。
【請求項１４】
さらに、生成した前記ページを表示することを実現するように、前記１つ以上のプログラムが前記１つ以上のプロセッサに実行され、
前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されていることを特徴とする請求項１１に記載のコンピュータ読み取り可能な記憶媒体。
【請求項１５】
さらに、ユーザが前記ページでクリックして選択した業務表を受信すると、前記業務表の属性情報の編集をユーザに供するように前記業務表の属性情報編集ウィンドウを表示することと、
前記業務表の属性情報に対するユーザの編集操作を受信すると、前記業務表の属性情報を編集することとをさらに実現するように、
前記１つ以上のプログラムが前記１つ以上のプロセッサに実行されることを特徴とする請求項１４に記載のコンピュータ読み取り可能な記憶媒体。
【請求項１６】
指令を格納するためのメモリと、プロセッサを含むページ構築機器であって、
前記プロセッサは、前記メモリから指令を読み取って、前記指令に基づいて、
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、
前記オブジェクト読み込み領域に前記業務表が読み込まれたかを判断することと、
前記関係設定領域で前記関係タイプが選択されたかを判断することと、
前記オブジェクト読み込み領域に前記業務表が読み込まれ、かつ前記関係設定領域で前記関係タイプが選択された場合、読み込まれた業務表と選択した関係タイプからページのメタデータを生成することと、
ページ生成指令を受信すると、前記業務シナリオに関連するページをページのメタデータに基づいて生成することとを実行することを特徴とするページ構築機器。
【請求項１７】
前記プロセッサは、
前記業務シナリオに関連するページをページのメタデータに基づいて生成する前に、
ユーザによる活性化に供する生成アイコンを前記構築インタフェースで設定することと、
前記生成アイコンに対するユーザの活性化操作を受信すると、前記ページ生成指令を生成することとをさらに実行することを特徴とする請求項１６に記載のページ構築機器。
【請求項１８】
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする請求項１６に記載のページ構築機器。
【請求項１９】
前記プロセッサは、生成した前記ページを表示することをさらに実行し、
前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されていることを特徴とする請求項１６に記載のページ構築機器。
【請求項２０】
前記プロセッサは、
ユーザが前記ページでクリックして選択した業務表を受信すると、前記業務表の属性情報の編集をユーザに供するように前記業務表の属性情報編集ウィンドウを表示することと、
前記業務表の属性情報に対するユーザの編集操作を受信すると、前記業務表の属性情報を編集することとをさらに実行することを特徴とする請求項１９に記載のページ構築機器。
【発明の詳細な説明】
【技術分野】
【０００１】
本発明は、ページ構築の技術分野に係り、特にページ構築方法、端末、コンピュータ読み取り可能な記憶媒体およびページ構築機器に係る。
【背景技術】
【０００２】
現在、大多数の企業応用システムのデータレイヤは、ＥＲ関係モデルに基づいて構築されており、ユーザの異なる業務シナリオに応じて、業務シナリオに対応するページを当該ＥＲ関係を使用して開発する。しかし、ユーザのニーズが増えることに伴い、現在、このような各具体的な業務シナリオに基づく具体的なページ開発しかできない方式に存在する問題は、ますます明らかになっている。例えば表が増えたり表同士の関係タイプが変更したりしてニーズが変わると、改めて開発を行う必要があり、開発作業量が増え、ページ構築効率が低下する。
【発明の概要】
【課題を解決するための手段】
【０００３】
本発明の実施例は、開発作業量を減少させ、ページ構築効率を向上させることができるページ構築方法、端末、コンピュータ読み取り可能な記憶媒体およびページ構築機器を提供する。
【０００４】
第１の態様として、本発明の実施例は、ページ構築方法を提供する。当該方法は、所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、前記オブジェクト読み込み領域に前記業務表が読み込まれたかを判断することと、前記関係設定領域で前記関係タイプが選択されたかを判断することと、前記オブジェクト読み込み領域に前記業務表が読み込まれ、かつ前記関係設定領域で前記関係タイプが選択された場合、読み込まれた業務表と選択した関係タイプからページのメタデータを生成することと、ページ生成指令を受信すると、前記業務シナリオに関連するページをページのメタデータに基づいて生成することとを含む。
【０００５】
第２の態様として、本発明の実施例は、端末を提供する。当該端末は、所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供するための提供ユニットと、前記オブジェクト読み込み領域に前記業務表が読み込まれたか、および前記関係設定領域で前記関係タイプが選択されたかを判断するための判断ユニットと、前記オブジェクト読み込み領域に前記業務表が読み込まれ、かつ前記関係設定領域で前記関係タイプが選択された場合、読み込まれた業務表と選択した関係タイプからページのメタデータを生成し、ページ生成指令を受信すると、前記業務シナリオに関連するページをページのメタデータに基づいて生成するための生成ユニットとを含む。
【０００６】
第３の態様として、本発明の実施例は、コンピュータ読み取り可能な記憶媒体を提供する。当該記憶媒体は、１つ以上のプログラムが格納されている。前記１つ以上のプログラムは、１つ以上のプロセッサに実行されることによって、所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、前記オブジェクト読み込み領域に前記業務表が読み込まれたかを判断することと、前記関係設定領域で前記関係タイプが選択されたかを判断することと、前記オブジェクト読み込み領域に前記業務表が読み込まれ、かつ前記関係設定領域で前記関係タイプが選択された場合、読み込まれた業務表と選択した関係タイプからページのメタデータを生成することと、ページ生成指令を受信すると、前記業務シナリオに関連するページをページのメタデータに基づいて生成することとを実現する。
【０００７】
第４の態様として、本発明の実施例は、指令を格納するためのメモリと、プロセッサを含むページ構築機器を提供する。前記プロセッサは、前記メモリから指令を読み取って、前記指令に基づいて、所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、前記オブジェクト読み込み領域に前記業務表が読み込まれたかを判断することと、前記関係設定領域で前記関係タイプが選択されたかを判断することと、前記オブジェクト読み込み領域に前記業務表が読み込まれ、かつ前記関係設定領域で前記関係タイプが選択された場合、読み込まれた業務表と選択した関係タイプからページのメタデータを生成することと、ページ生成指令を受信すると、前記業務シナリオに関連するページをページのメタデータに基づいて生成することとを実行する。
【０００８】
本発明の実施例は、業務シナリオの選択および業務シナリオから業務表の選択をユーザに供するためのオブジェクト読み込み領域と、選択した業務表同士の関係の設定をユーザに供するための関係設定領域とを含むページの構築インタフェースを提供することによって、オブジェクト読み込み領域に業務表が読み込まれたか、関係設定領域で関係タイプが選択されたかを判断するが、そうである場合、読み込まれた業務表と選択した関係タイプからページのメタデータを生成し、ページ生成指令を受信すると、選択した業務シナリオに関連するページをページのメタデータに基づいて生成する。本発明の実施例は、業務表と業務表との間の関係設定を構築ページで実現することによってページを生成し、ページの開発作業量を減少させ、かつ業務表に何らかのデータ変更があると、対応する業務表を構築ページに改めて読み込めば、ページを迅速に生成することができ、修正や更新操作が容易に行われるようになる。
【０００９】
本発明の実施例の技術手段をより明確に説明するために、以下、実施例の記載に必要とされる図面を簡単に紹介する。明らかに、以下の記載に関する図面は、単に本発明の一部の実施例である。当業者にとって、創造性のある作業をしなくても、これらの図面から他の図面を得ることもできる。
【図面の簡単な説明】
【００１０】
【図１】本発明の第１実施例によるページ構築方法のフローチャートである。
【図２】本発明の第２実施例によるページ構築方法のフローチャートである。
【図３】本発明の第３実施例によるページ構築方法のフローチャートである。
【図４】本発明の第４実施例によるページ構築方法のフローチャートである。
【図５】本発明の第５実施例による端末のブロック図である。
【図６】本発明の第６実施例による端末のブロック図である。
【図７】本発明の第７実施例による端末のブロック図である。
【図８】本発明の第８実施例による端末のブロック図である。
【図９】本発明の第９実施例によるページ構築機器のブロック図である。
【発明を実施するための形態】
【００１１】
以下、本発明の実施例の図面を参照しながら、本発明の実施例の技術手段を明確且つ完全に記載する。明らかに、記載する実施例は、本発明の実施例の一部であり、全てではない。本発明の実施例に基づき、当業者が創造性のある作業をしなくても為しえる全ての他の実施例は、本発明の保護範囲に属するものである。
【００１２】
なお、本明細書および添付の特許請求の範囲で使用される場合、用語「含む」および「含有」は、記載された特徴、全体、ステップ、操作、要素及び／又は構成要素の存在を示すが、１つまたは複数の他の特徴、全体、ステップ、操作、要素、構成要素及び／又はその集合の存在または追加を排除しない。
【００１３】
図１は、本発明の第１実施例によるページ構築方法のフローチャートである。図１に示すように、当該ページ構築方法は、ステップＳ１０１〜Ｓ１０５を含む。
【００１４】
Ｓ１０１において、ページの構築インタフェースを提供する。前記構築インタフェースは、オブジェクト読み込み領域と、関係設定領域とを少なくとも含む。前記オブジェクト読み込み領域は、所定の業務シナリオから１つの業務シナリオの選択および選択した業務シナリオから少なくとも２つの業務表の選択をユーザに供する。前記関係設定領域は、選択した業務表同士の関係を決定するように所定の関係タイプから少なくとも１つの関係タイプの選択をユーザに供する。
【００１５】
具体的には、本発明の実施例において、業務シナリオは、野菜市場のブース管理、社員関連データ調査などである。例えば野菜市場のブース調査では、例えばブース面積、ブース数、各ブースに対応する使用料金、ブース販売商品のカテゴリー、販売時間など、複数の異なる内容の業務表を設定することができる。または、社員出勤表、給与表、組織表、作業量表、基本情報表などである。本発明の実施例において、業務シナリオは、オブジェクト読み込み領域に予め設定され、かつ異なる業務シナリオに複数の異なる業務表が含まれる。ユーザがそのうちの１つの業務シナリオおよび当該業務シナリオ中の少なくとも２つの業務表を選択すると、異なる業務表同士の関係を示すために、本発明の実施例の関係設定領域には、ユーザの選択に供する所定の関係タイプが設定されている。ここで、所定の関係タイプは、親子関係、多対多関係およびグループ関係を含む。親子関係は、２つの業務表を親と子に分け、かつ子の存在が親の存在に依存し、インデント方式で示され、親の下に複数の子項目を設定することができる。多対多関係は、２つの業務表の間のマッピング関係を示す。記録を作成する際に、まず一方の業務表を選択してから他方の業務表を選択し、最後に関係属性を記入し、かつ親子関係のように示すことができる。グループ関係は、まずグループを構築してそれからグループ内にメンバーを追加するか、直接メンバー記録からグループを選択して維持される。選択方式は、サーチバーをポップアップさせるか、プルダウンリストの所定グループから１つのグループを選択する。
【００１６】
なお、業務シナリオで複数の業務表を選択すると、関係設定領域で、所定の関係タイプから１つの関係タイプを選択して、選択した任意２つの業務表の間の関係を決定する。
【００１７】
Ｓ１０２において、前記オブジェクト読み込み領域に前記業務表が読み込まれたかを判断する。
【００１８】
Ｓ１０３において、前記関係設定領域で前記関係タイプが選択されたかを判断する。
【００１９】
具体的には、本発明の実施例において、ステップＳ１０２とＳ１０３の実行前後順が限定されない。構築ページでユーザの選択に応じて迅速にページのメタデータを生成するために、本発明の実施例において、オブジェクト読み込み領域に業務表が読み込まれたか、関係設定領域で関係タイプが選択されたかを判断する必要がある。オブジェクト読み込み領域に業務表が読み込まれかつ関係設定領域で関係タイプが選択された場合、ステップＳ１０４を実行するが、オブジェクト読み込み領域に業務表が読み込まれなかった場合、引き続きステップＳ１０２を実行する。関係設定領域で関係タイプが選択されなかった場合、引き続きステップＳ１０３を実行する。
【００２０】
Ｓ１０４において、読み込まれた業務表と選択した関係タイプからページのメタデータを生成する。
【００２１】
具体的には、本発明の実施例において、ページのメタデータは、ページの生成に必要とされる要素データである。オブジェクト読み込み領域に業務表が読み込まれかつ関係設定領域で少なくとも１つの関係タイプが選択されると、読み込まれた業務表および選択した関係タイプからページのメタデータを生成する。
【００２２】
Ｓ１０５において、ページ生成指令を受信すると、前記業務シナリオに関連するページをページのメタデータに基づいて生成する。
【００２３】
具体的には、ステップＳ１０４でページのメタデータを生成すると、ページ生成指令を受信すれば、業務シナリオに関連するページをページのメタデータに基づいて生成する。例えばユーザが市場中のブースの関連情報を把握したい場合、オブジェクト読み込み領域で市場ブース統計の業務シナリオを選択し、そして当該業務シナリオからブース面積、ブース料金、ブース販売商品のカテゴリー、販売時間の４つの業務表を選択し、それから関係設定領域で例えば親子関係、多対多関係およびグループ関係の所定の関係タイプから、任意に１つの関係タイプを選択し、選択した業務表の間の関係を決定する。なお、所定の関係タイプから複数回の選択をする必要がある場合、選択される関係タイプは、同一であってもよく異なってもよい。構築ページに業務表と関係タイプを読み込むと、読み込まれた業務表と選択した関係タイプからページのメタデータを生成し、ページ生成指令を受信すると、ユーザの確認に供するように、業務シナリオに関連するページをページのメタデータに基づいて生成する。
【００２４】
本発明の実施例は、業務シナリオの選択および業務シナリオから業務表の選択をユーザに供するためのオブジェクト読み込み領域と、選択した業務表同士の関係の設定をユーザに供するための関係設定領域とを含むページの構築インタフェースを提供することによって、オブジェクト読み込み領域に業務表が読み込まれたか、関係設定領域で関係タイプが選択されたかを判断するが、オブジェクト読み込み領域に業務表が読み込まれかつ関係設定領域で関係タイプが選択された場合、読み込まれた業務表と選択した関係タイプからページのメタデータを生成し、ページ生成指令を受信すると、選択した業務シナリオに関連するページをページのメタデータに基づいて生成する。本発明の実施例は、業務表と業務表との間の関係設定を構築ページで実現することによってページを生成し、ページの開発作業量を減少させ、かつ業務表に何らかのデータ変更があると、対応する業務表を構築ページに改めて読み込めば、ページを迅速に生成することができ、修正や更新操作が容易に行われるようになる。
【００２５】
図２は、本発明の第２実施例によるページ構築方法のフローチャートである。図に示すように、当該方法は、ステップＳ２０１〜Ｓ２０７を含む。ここで、ステップＳ２０１〜Ｓ２０４は、ステップＳ１０１〜Ｓ１０４と同一であり、ここでは繰り返して記載しない。
【００２６】
Ｓ２０５において、ユーザによる活性化に供する生成アイコンを前記構築インタフェースで設定する。
【００２７】
具体的には、ユーザが構築ページで業務表を読み込み、関係設定領域で関係タイプを選択すると、ユーザによるページ生成操作の制御をしやすくするために、本発明の実施例において、ユーザによる活性化に供する生成アイコンを構築ページで設定し、例えばユーザが当該生成アイコンをクリック選択して活性化させる。なお、当該生成アイコンの形状、大きさおよび構築ページにおける位置は、具体的には限定されず、ユーザが使用しやすいように設定される。
【００２８】
Ｓ２０６において、前記生成アイコンに対するユーザの活性化操作を受信すると、前記ページ生成指令を生成する。
【００２９】
具体的には、本発明の実施例において、ページ生成指令は、ユーザが生成アイコンを活性化させてから生成される。例えば、ユーザは、構築ページ上の生成アイコンをクリック選択して生成アイコンを活性化させ、ページ生成指令を生成する。なお、一部の実施可能な実施例において、生成アイコンは、音声制御や赤外線制御によって活性化されて、ページ生成指令が生成される。
【００３０】
Ｓ２０７において、ページ生成指令を受信すると、前記業務シナリオに関連するページをページのメタデータに基づいて生成する。
【００３１】
具体的には、ページ生成指令を受信すると、業務シナリオに関連するページをページのメタデータに基づいて生成する。例えばユーザが市場中のブースの関連情報を把握したい場合、オブジェクト読み込み領域で市場ブース統計の業務シナリオを選択し、そして当該業務シナリオからブース面積、ブース料金、ブース販売商品のカテゴリー、販売時間の４つの業務表を選択し、それから関係設定領域で例えば親子関係、多対多関係およびグループ関係の所定の関係タイプから、任意に１つの関係タイプを選択し、選択した業務表の間の関係を決定する。なお、所定の関係タイプから複数回の選択をする必要がある場合、選択される関係タイプは、同一であってもよく異なってもよい。構築ページに業務表と関係タイプを読み込むと、読み込まれた業務表と選択した関係タイプからページのメタデータを生成し、ページ生成指令を受信すると、ユーザの確認に供するように、業務シナリオに関連するページをページのメタデータに基づいて生成する。
【００３２】
本発明の実施例は、業務シナリオの選択および業務シナリオから業務表の選択をユーザに供するためのオブジェクト読み込み領域と、選択した業務表同士の関係の設定をユーザに供するための関係設定領域とを含むページの構築インタフェースを提供することによって、オブジェクト読み込み領域に業務表が読み込まれたか、関係設定領域で関係タイプが選択されたかを判断するが、オブジェクト読み込み領域に業務表が読み込まれかつ関係設定領域で関係タイプが選択された場合、読み込まれた業務表と選択した関係タイプからページのメタデータを生成し、ユーザによる活性化に供する生成アイコンを構築ページで設定し、当該生成アイコンに対するユーザの活性化操作を受信すると、当該ページ生成指令を生成し、ページ生成指令を受信すると、選択した業務シナリオに関連するページをページのメタデータに基づいて生成する。本発明の実施例は、業務表と業務表との間の関係設定を構築ページで実現することによってページを生成し、ページの開発作業量を減少させ、かつ業務表に何らかのデータ変更があると、対応する業務表を構築ページに改めて読み込めば、ページを迅速に生成することができ、修正や更新操作が容易に行われるようになる。
【００３３】
図３は、本発明の第３実施例によるページ構築方法のフローチャートである。図に示すように、当該方法は、ステップＳ３０１〜Ｓ３０６を含む。ここで、ステップＳ３０１〜Ｓ３０５は、ステップＳ１０１〜Ｓ１０５と同一であり、ここでは繰り返して記載しない。
【００３４】
Ｓ３０６において、生成した前記ページを表示する。前記ページには、問い合わせ領域と問い合わせ結果表示領域が設定されている。前記問い合わせ領域は、前記業務表に関連する問い合わせ条件の入力をユーザに供し、かつ異なる所定関係タイプが異なる表示テンプレートに対応付けられている。前記問い合わせ結果表示領域には、前記表示テンプレートから決定した内容が表示される。
【００３５】
具体的には、本発明の実施例において、生成したページを確認しやすくするために、生成したページを本発明の実施例の端末に表示させる。当該ページには、問い合わせ領域と問い合わせ結果表示領域も設定されている。問い合わせ領域は、例えば業務表の中のキーワードまたは業務表の名称など、業務表に関連する問い合わせ条件の入力をユーザに供する。異なる所定関係タイプの業務表を適切に表示するために、本発明の実施例において、異なる所定関係タイプに対応して、対応する表示テンプレートが整合するように設定されている。例えば親子関係に対応して表示テンプレート１が設定されており、多対多関係に対応して表示テンプレート２が設定されており、グループ関係に対応して表示テンプレート３が設定されており、異なる関係タイプの業務表の間の関係を適切に表示する。問い合わせ結果表示領域には、ユーザによる確認のために、表示テンプレートから決定した内容が表示される。
【００３６】
本発明の実施例は、業務シナリオの選択および業務シナリオから業務表の選択をユーザに供するためのオブジェクト読み込み領域と、選択した業務表同士の関係の設定をユーザに供するための関係設定領域とを含むページの構築インタフェースを提供することによって、オブジェクト読み込み領域に業務表が読み込まれたか、関係設定領域で少なくとも１つの関係タイプが選択されたかを判断するが、オブジェクト読み込み領域に業務表が読み込まれかつ関係設定領域で関係タイプが選択された場合、読み込まれた業務表と選択した関係タイプからページのメタデータを生成し、ページ生成指令を受信すると、選択した業務シナリオに関連するページをページのメタデータに基づいて生成し、生成したページを表示する。本発明の実施例は、業務表と業務表との間の関係設定を構築ページで実現することによってページを生成し、ページの開発作業量を減少させ、かつ業務表に何らかのデータ変更があると、対応する業務表を構築ページに改めて読み込めば、ページを迅速に生成することができ、修正や更新操作が容易に行われるようになる。
【００３７】
図４は、本発明の第４実施例によるページ構築方法のフローチャートである。図に示すように、当該方法は、ステップＳ４０１〜Ｓ４０８を含む。ここで、ステップＳ４０１〜Ｓ４０６は、ステップＳ３０１〜Ｓ３０６と同一であり、ここでは繰り返して記載しない。
【００３８】
Ｓ４０７において、ユーザが前記ページでクリックして選択した業務表を受信すると、前記業務表の属性情報の編集をユーザに供するように前記業務表の属性情報編集ウィンドウを表示する。
【００３９】
具体的には、業務表の属性情報は、業務表の作成時間、名称、名前変更、業務タイプ、当該業務表に関連する関係タイプなどを含む。当該業務表の属性情報を修正しやすくするために、本発明の実施例において、当該業務表の属性情報編集ウィンドウを端末のインタフェースに表示させ、ユーザによる対応業務表の属性情報の編集に供する。業務表が構築ページ上にある場合、ユーザによるクリック選択に供するように、当該業務表をフローティングアイコンまたはクリック可能なアイコンに設定したり、クリック選択した業務表に入った後に対応する属性編集ウィンドウを表示したりするが、ここでは限定しない。
【００４０】
Ｓ４０８において、前記業務表の属性情報に対するユーザの編集操作を受信すると、前記業務表の属性情報を編集する。
【００４１】
具体的には、編集操作は、削除、修正、追加、および名前変更などを含む。業務表の属性情報に対するユーザの上述した編集操作を受信すると、ユーザの操作に応じて、業務表の対応する属性情報を修正して、業務表の情報を迅速に修正して、再開発を回避する。
【００４２】
本発明の実施例は、業務シナリオの選択および業務シナリオから業務表の選択をユーザに供するためのオブジェクト読み込み領域と、選択した業務表同士の関係の設定をユーザに供するための関係設定領域とを含むページの構築インタフェースを提供することによって、オブジェクト読み込み領域に業務表が読み込まれたか、関係設定領域で関係タイプが選択されたかを判断するが、オブジェクト読み込み領域に業務表が読み込まれかつ関係設定領域で関係タイプが選択された場合、読み込まれた業務表と選択した関係タイプからページのメタデータを生成し、ページ生成指令を受信すると、選択した業務シナリオに関連するページをページのメタデータに基づいて生成する。ユーザが前記ページでクリックして選択した業務表を受信すると、前記業務表の属性情報の編集をユーザに供するように前記業務表の属性情報編集ウィンドウを表示し、前記業務表の属性情報に対するユーザの編集操作を受信すると、前記業務表の属性情報を編集する。本発明の実施例は、業務表と業務表との間の関係設定を構築ページで実現することによってページを生成し、ページの開発作業量を減少させ、かつ業務表に何らかのデータ変更があると、対応する業務表を構築ページに改めて読み込めば、ページを迅速に生成することができ、修正や更新操作が容易に行われるようになる。
【００４３】
図５は、本発明の第５実施例による端末のブロック図である。図示の本実施例の端末５０は、提供ユニット５１と、判断ユニット５２と、生成ユニット５３を含む。
【００４４】
提供ユニット５１は、ページの構築インタフェースを提供する。前記構築インタフェースは、所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含む。
【００４５】
具体的には、本発明の実施例において、業務シナリオは、野菜市場のブース管理、社員関連データ調査などである。例えば野菜市場のブース調査では、例えばブース面積、ブース数、各ブースに対応する使用料金、ブース販売商品のカテゴリー、販売時間など、複数の異なる内容の業務表を設定することができる。または、社員出勤表、給与表、組織表、作業量表、基本情報表などである。本発明の実施例において、業務シナリオは、オブジェクト読み込み領域に予め設定され、かつ異なる業務シナリオに複数の異なる業務表が含まれる。ユーザがそのうちの１つの業務シナリオおよび当該業務シナリオ中の少なくとも２つの業務表を選択すると、異なる業務表同士の関係を示すために、本発明の実施例の関係設定領域には、ユーザの選択に供する所定の関係タイプが設定されている。ここで、所定の関係タイプは、親子関係、多対多関係およびグループ関係を含む。親子関係は、２つの業務表を親と子に分け、かつ子の存在が親の存在に依存し、インデント方式で示され、親の下に複数の子項目を設定することができる。多対多関係は、２つの業務表の間のマッピング関係を示す。記録を作成する際に、まず一方の業務表を選択してから他方の業務表を選択し、最後に関係属性を記入し、かつ親子関係のように示すことができる。グループ関係は、まずグループを構築してそれからグループ内にメンバーを追加するか、直接メンバー記録からグループを選択して維持される。選択方式は、サーチバーをポップアップさせるか、プルダウンリストの所定グループから１つのグループを選択する。
【００４６】
なお、業務シナリオで複数の業務表を選択すると、関係設定領域で、所定の関係タイプから１つの関係タイプを選択して、選択した任意２つの業務表の間の関係を決定する。
【００４７】
判断ユニット５２は、前記オブジェクト読み込み領域に前記業務表が読み込まれたか、および前記関係設定領域で少なくとも１つの関係タイプが選択されたかを判断する。
【００４８】
具体的には、構築ページでユーザの選択に応じて迅速にページのメタデータを生成するために、本発明の実施例において、オブジェクト読み込み領域に業務表が読み込まれたか、関係設定領域で関係タイプが選択されたかを判断する必要がある。そうである場合、生成ユニット５３によって、業務表と選択した関係タイプからページのメタデータを生成する。そうでない場合、判断ユニット５２によって、引き続き判断を行う。
【００４９】
生成ユニット５３は、オブジェクト読み込み領域に業務表が読み込まれ、かつ関係設定領域で関係タイプが選択された場合、読み込まれた業務表と選択した関係タイプからページのメタデータを生成し、ページ生成指令を受信すると、前記業務シナリオに関連するページをページのメタデータに基づいて生成する。
【００５０】
具体的には、本発明の実施例において、ページのメタデータは、ページの生成に必要とされる要素データである。オブジェクト読み込み領域に業務表が読み込まれかつ関係設定領域で少なくとも１つの関係タイプが選択されることが判断ユニット５２によって決定されると、読み込まれた業務表および選択した関係タイプからページのメタデータを生成する。
【００５１】
具体的には、生成ユニット５３でページのメタデータを生成すると、ページ生成指令を受信すれば、生成ユニット５３は、業務シナリオに関連するページをページのメタデータに基づいて生成する。例えばユーザが市場中のブースの関連情報を把握したい場合、オブジェクト読み込み領域で市場ブース統計の業務シナリオを選択し、そして当該業務シナリオからブース面積、ブース料金、ブース販売商品のカテゴリー、販売時間の４つの業務表を選択し、それから関係設定領域で例えば親子関係、多対多関係およびグループ関係の所定の関係タイプから、任意に１つの関係タイプを選択し、選択した業務表の間の関係を決定する。なお、所定の関係タイプから複数回の選択をする必要がある場合、選択される関係タイプは、同一であってもよく異なってもよい。構築ページに業務表と関係タイプを読み込むと、読み込まれた業務表と選択した関係タイプからページのメタデータを生成し、ページ生成指令を受信すると、ユーザの確認に供するように、業務シナリオに関連するページをページのメタデータに基づいて生成する。
【００５２】
本発明の実施例において、提供ユニット５１は、業務シナリオの選択および業務シナリオから業務表の選択をユーザに供するためのオブジェクト読み込み領域と、選択した業務表同士の関係の設定をユーザに供するための関係設定領域とを含むページの構築インタフェースを提供する。判断ユニット５２は、オブジェクト読み込み領域に業務表が読み込まれたか、関係設定領域で関係タイプが選択されたかを判断する。オブジェクト読み込み領域に業務表が読み込まれかつ関係設定領域で関係タイプが選択された場合、生成ユニット５３は、読み込まれた業務表と選択した関係タイプからページのメタデータを生成し、ページ生成指令を受信すると、選択した業務シナリオに関連するページをページのメタデータに基づいて生成する。本発明の実施例は、業務表と業務表との間の関係設定を構築ページで実現することによってページを生成し、ページの開発作業量を減少させ、かつ業務表に何らかのデータ変更があると、対応する業務表を構築ページに改めて読み込めば、ページを迅速に生成することができ、修正や更新操作が容易に行われるようになる。
【００５３】
図６は、本発明の第６実施例による端末のブロック図である。図示の本実施例の端末６０は、提供ユニット６１と、判断ユニット６２と、設定ユニット６３と、生成ユニット６４を含む。
【００５４】
提供ユニット６１は、ページの構築インタフェースを提供する。前記構築インタフェースは、所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含む。
【００５５】
判断ユニット６２は、前記オブジェクト読み込み領域に前記業務表が読み込まれたか、および前記関係設定領域で少なくとも１つの関係タイプが選択されたかを判断する。
【００５６】
設定ユニット６３は、ユーザによる活性化に供する生成アイコンを前記構築インタフェースで設定する。
【００５７】
具体的には、ユーザが構築ページで業務表を読み込み、関係設定領域で関係タイプを選択すると、ユーザによるページ生成操作の制御をしやすくするために、本発明の実施例において、ユーザによる活性化に供する生成アイコンを構築ページで設定し、例えばユーザが当該生成アイコンをクリック選択して活性化させる。なお、当該生成アイコンの形状、大きさおよび構築ページにおける位置は、具体的には限定されず、ユーザが使用しやすいように設定される。
【００５８】
本発明の実施例において、ページ生成指令は、ユーザが生成アイコンを活性化させてから生成される。例えば、ユーザは、構築ページ上の生成アイコンをクリック選択して生成アイコンを活性化させ、ページ生成指令を生成する。なお、一部の実施可能な実施例において、生成アイコンは、音声制御や赤外線制御によって活性化されて、ページ生成指令が生成される。
【００５９】
生成ユニット６４は、読み込まれた業務表と選択した関係タイプに基づいてページのメタデータを生成し、生成アイコンに対するユーザの活性化操作を受信すると、前記ページ生成指令を生成し、ページ生成指令を受信すると、前記業務シナリオに関連するページをページのメタデータに基づいて生成する。
【００６０】
本発明の実施例において、提供ユニット６１は、業務シナリオの選択および業務シナリオから業務表の選択をユーザに供するためのオブジェクト読み込み領域と、選択した業務表同士の関係の設定をユーザに供するための関係設定領域とを含むページの構築インタフェースを提供する。判断ユニット６２は、オブジェクト読み込み領域に業務表が読み込まれたか、関係設定領域で関係タイプが選択されたかを判断する。オブジェクト読み込み領域に業務表が読み込まれかつ関係設定領域で関係タイプが選択された場合、生成ユニット６４は、読み込まれた業務表と選択した関係タイプからページのメタデータを生成する。ユーザによる活性化に供する生成アイコンを設定ユニット６３によって構築ページで設定し、当該生成アイコンに対するユーザの活性化操作を受信すると、生成ユニット６４によって当該ページ生成指令を生成する。ページ生成指令を受信すると、選択した業務シナリオに関連するページをページのメタデータに基づいて生成する。本発明の実施例は、業務表と業務表との間の関係設定を構築ページで実現することによってページを生成し、ページの開発作業量を減少させ、かつ業務表に何らかのデータ変更があると、対応する業務表を構築ページに改めて読み込めば、ページを迅速に生成することができ、修正や更新操作が容易に行われるようになる。
【００６１】
図７は、本発明の第７実施例による端末のブロック図である。図示の本実施例の端末７０は、提供ユニット７１と、判断ユニット７２と、生成ユニット７３、表示ユニット７４を含む。
【００６２】
提供ユニット７１は、ページの構築インタフェースを提供する。前記構築インタフェースは、所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含む。
【００６３】
判断ユニット７２は、前記オブジェクト読み込み領域に前記業務表が読み込まれたか、および前記関係設定領域で少なくとも１つの関係タイプが選択されたかを判断する。
【００６４】
生成ユニット７３は、読み込まれた業務表と選択した関係タイプからページのメタデータを生成し、ページ生成指令を受信すると、前記業務シナリオに関連するページをページのメタデータに基づいて生成する。
【００６５】
表示ユニット７４は、生成した前記ページを表示する。前記ページには、問い合わせ領域と問い合わせ結果表示領域が設定されている。前記問い合わせ領域は、前記業務表に関連する問い合わせ条件の入力をユーザに供し、かつ異なる所定関係タイプが異なる表示テンプレートに対応付けられている。前記問い合わせ結果表示領域には、前記表示テンプレートから決定した内容が表示される。
【００６６】
具体的には、本発明の実施例において、生成したページを確認しやすくするために、生成したページを本発明の実施例の端末に表示させる。当該ページには、問い合わせ領域と問い合わせ結果表示領域も設定されている。問い合わせ領域は、例えば業務表の中のキーワードまたは業務表の名称など、業務表に関連する問い合わせ条件の入力をユーザに供する。異なる所定関係タイプの業務表を適切に表示するために、本発明の実施例において、異なる所定関係タイプに対応して、対応する表示テンプレートが整合するように設定されている。例えば親子関係に対応して表示テンプレート１が設定されており、多対多関係に対応して表示テンプレート２が設定されており、グループ関係に対応して表示テンプレート３が設定されており、異なる関係タイプの業務表の間の関係を適切に表示する。問い合わせ結果表示領域には、ユーザによる確認のために、表示テンプレートから決定した内容が表示される。
【００６７】
本発明の実施例において、提供ユニット７１は、業務シナリオの選択および業務シナリオから業務表の選択をユーザに供するためのオブジェクト読み込み領域と、選択した業務表同士の関係の設定をユーザに供するための関係設定領域とを含むページの構築インタフェースを提供する。判断ユニット７２は、オブジェクト読み込み領域に業務表が読み込まれたか、関係設定領域で関係タイプが選択されたかを判断する。そうである場合、読み込まれた業務表と選択した関係タイプからページのメタデータを生成し、ページ生成指令を受信すると、生成ユニット７３は、選択した業務シナリオに関連するページをページのメタデータに基づいて生成する。表示ユニット７４は、生成したページを表示する。本発明の実施例は、業務表と業務表との間の関係設定を構築ページで実現することによってページを生成し、ページの開発作業量を減少させ、かつ業務表に何らかのデータ変更があると、対応する業務表を構築ページに改めて読み込めば、ページを迅速に生成することができ、修正や更新操作が容易に行われるようになる。
【００６８】
図８は、本発明の第８実施例による端末のブロック図である。図示の本実施例の端末８０は、提供ユニット８１と、判断ユニット８２と、生成ユニット８３、表示ユニット８４と、編集ユニット８５を含む。
【００６９】
提供ユニット８１は、ページの構築インタフェースを提供する。前記構築インタフェースは、所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含む。
【００７０】
判断ユニット８２は、前記オブジェクト読み込み領域に前記業務表が読み込まれたか、および前記関係設定領域で少なくとも１つの関係タイプが選択されたかを判断する。
【００７１】
生成ユニット８３は、読み込まれた業務表と選択した関係タイプからページのメタデータを生成し、ページ生成指令を受信すると、前記業務シナリオに関連するページをページのメタデータに基づいて生成する。
【００７２】
表示ユニット８４は、生成した前記ページを表示する。前記ページには、問い合わせ領域と問い合わせ結果表示領域が設定されている。前記問い合わせ領域は、前記業務表に関連する問い合わせ条件の入力をユーザに供し、かつ異なる所定関係タイプが異なる表示テンプレートに対応付けられている。前記問い合わせ結果表示領域には、前記表示テンプレートから決定した内容が表示される。
【００７３】
編集ユニット８５は、前記業務表の属性情報に対するユーザの編集操作を受信すると、前記業務表の属性情報を編集する。
【００７４】
具体的には、業務表の属性情報は、業務表の作成時間、名称、名前変更、業務タイプ、当該業務表に関連する関係タイプなどを含む。当該業務表の属性情報を修正しやすくするために、本発明の実施例において、当該業務表の属性情報編集ウィンドウを端末のインタフェースに表示させ、ユーザによる対応業務表の属性情報の編集に供する。業務表が構築ページ上にある場合、ユーザによるクリック選択に供するように、当該業務表をフローティングアイコンまたはクリック可能なアイコンに設定したり、クリック選択した業務表に入った後に対応する属性編集ウィンドウを表示したりするが、ここでは限定しない。編集操作は、削除、修正、追加、および名前変更などを含む。業務表の属性情報に対するユーザの上述した編集操作を受信すると、ユーザの操作に応じて、業務表の対応する属性情報を修正して、業務表の情報を迅速に修正して、再開発を回避する。
【００７５】
本発明の実施例において、提供ユニット８１は、業務シナリオの選択および業務シナリオから業務表の選択をユーザに供するためのオブジェクト読み込み領域と、選択した業務表同士の関係の設定をユーザに供するための関係設定領域とを含むページの構築インタフェースを提供する。判断ユニット８２は、オブジェクト読み込み領域に業務表が読み込まれたか、関係設定領域で関係タイプが選択されたかを判断する。そうである場合、読み込まれた業務表と選択した関係タイプからページのメタデータを生成し、ページ生成指令を受信すると、生成ユニット８３は、選択した業務シナリオに関連するページをページのメタデータに基づいて生成する。表示ユニット８４は、生成したページを表示する。ユーザが前記ページでクリックして選択した業務表を受信すると、表示ユニット８４は、前記業務表の属性情報の編集をユーザに供するように前記業務表の属性情報編集ウィンドウを表示する。前記業務表の属性情報に対するユーザの編集操作を受信すると、編集ユニット８５は、前記業務表の属性情報を編集するように編集操作を行う。本発明の実施例は、業務表と業務表との間の関係設定を構築ページで実現することによってページを生成し、ページの開発作業量を減少させ、かつ業務表に何らかのデータ変更があると、対応する業務表を構築ページに改めて読み込めば、ページを迅速に生成することができ、修正や更新操作が容易に行われるようになる。
【００７６】
本発明の実施例に記載したユニットは、ソフトウェア機能モジュールの形式で実現され独立した製品として販売または使用される場合、コンピュータ読み取り可能な記憶媒体に格納されてもよい。このような理解に基づき、本発明の実施例の技術手段の実質的または従来技術に貢献した部分は、ソフトウェアプロダクトの形式で現れる。当該コンピュータソフトウェアプロダクトは、記憶媒体に記憶され、本発明の各実施例の方法のすべてまたは一部をコンピュータ装置（パーソナルコンピュータ、サーバ、又はネットワーク装置であってもよい）に実行させるいくつかの指令を含む。当該記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。このように、本発明の実施例は、特定なハードウェアとソフトウェアの組み合わせにいっさい限定されない。
【００７７】
対応して、本発明の実施例では、コンピュータ読み取り可能な記憶媒体も記載している。当該記憶媒体は、１つ以上のプログラムを有する。当該１つ以上のプログラムは、１つ以上のプロセッサに実行されることによって、所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、前記オブジェクト読み込み領域に前記業務表が読み込まれたかを判断することと、前記関係設定領域で前記関係タイプが選択されたかを判断することと、前記オブジェクト読み込み領域に前記業務表が読み込まれ、かつ前記関係設定領域で前記関係タイプが選択された場合、読み込まれた業務表と選択した関係タイプからページのメタデータを生成することと、ページ生成指令を受信すると、前記業務シナリオに関連するページをページのメタデータに基づいて生成することとを実現する。
【００７８】
前記業務シナリオに関連するページをページのメタデータに基づいて生成する前に、さらに、ユーザによる活性化に供する生成アイコンを前記構築インタフェースで設定することと、前記生成アイコンに対するユーザの活性化操作を受信すると、前記ページ生成指令を生成することとを実現するように、前記１つ以上のプログラムが前記１つ以上のプロセッサに実行されることが好ましい。
【００７９】
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることが好ましい。
【００８０】
さらに、生成した前記ページを表示することを実現するように、前記１つ以上のプログラムが前記１つ以上のプロセッサに実行されることが好ましい。前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されている。
【００８１】
さらに、ユーザが前記ページでクリックして選択した業務表を受信すると、前記業務表の属性情報の編集をユーザに供するように前記業務表の属性情報編集ウィンドウを表示することと、前記業務表の属性情報に対するユーザの編集操作を受信すると、前記業務表の属性情報を編集することとをさらに実現するように、前記１つ以上のプログラムが前記１つ以上のプロセッサに実行されることが好ましい。
【００８２】
図９は、本発明の第９実施例によるページ構築機器のブロック図である。図示のように、当該ページ構築機器９０は、１つ以上のプロセッサ９１と、メモリ９２と、１つ以上の入力装置９３と、１つ以上の出力装置９４を含む。上記プロセッサ９１、入力装置９３、出力装置９４およびメモリ９２は、バス９５で接続されている。
【００８３】
入力装置９３は、所定の業務シナリオから１つの業務シナリオの選択および選択した業務シナリオから少なくとも２つの業務表の選択をユーザに供する。具体的に実現する際に、本発明の実施例の入力装置９３は、キーボード、マウス、光電入力装置、音声入力装置、タッチ式入力装置などを含む。
【００８４】
出力装置は、生成したページを表示する。具体的に実現する際に、本発明の実施例の出力装置９４は、表示画面、ディスプレイ、タッチパネルなどを含む。
【００８５】
メモリ９２は、各種類の機能付きのプログラムデータを記憶する。具体的に実現する際に、本発明の実施例のメモリ９２は、例えば揮発的（例えばＲＡＭ）、非揮発的（例えばＲＯＭ、フラッシュメモリなど）、または両者の組み合わせのシステムメモリである。具体的に実現する際に、本発明の実施例のメモリ９２は、例えば磁気ディスク、光ディスク、磁気テープなど、システム外の外部メモリであってもよい。
【００８６】
プロセッサ９１は、メモリ９２に格納されているプログラムデータを呼び出して、所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、前記オブジェクト読み込み領域に前記業務表が読み込まれたかを判断することと、前記関係設定領域で前記関係タイプが選択されたかを判断することと、前記オブジェクト読み込み領域に前記業務表が読み込まれ、かつ前記関係設定領域で前記関係タイプが選択された場合、読み込まれた業務表と選択した関係タイプからページのメタデータを生成することと、ページ生成指令を受信すると、前記業務シナリオに関連するページをページのメタデータに基づいて生成することとを実行する。
【００８７】
さらに、前記プロセッサ９１は、前記業務シナリオに関連するページをページのメタデータに基づいて生成する前に、ユーザによる活性化に供する生成アイコンを前記構築インタフェースで設定することと、前記生成アイコンに対するユーザの活性化操作を受信すると、前記ページ生成指令を生成することとを実行する。
【００８８】
さらに、前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できる。
【００８９】
さらに、前記プロセッサ９１は、生成した前記ページを表示することを実行する。前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されている。
【００９０】
さらに、前記プロセッサ９１は、ユーザが前記ページでクリックして選択した業務表を受信すると、前記業務表の属性情報の編集をユーザに供するように前記業務表の属性情報編集ウィンドウを表示することと、前記業務表の属性情報に対するユーザの編集操作を受信すると、前記業務表の属性情報を編集することとを実行する。
【００９１】
簡単かつ簡潔に記載するために、以上記載した端末とユニットの具体的な作動は、前記した方法実施例の対応工程を参照されたく、ここでは繰り返して記載しない。
【００９２】
本願で提供されるいくつかの実施例において、開示された端末および方法は、他の方式で実施され得ることを理解されたい。例えば、以上に記載された装置の実施例は、単なる例示である。例えば、前記ユニットの区分は、単に論理機能の区分であり、実際に実現する際に別の区分方式がある。例えば、複数のユニットまたはコンポーネントは、別のシステムに組み合わせられまたは一体化される。または、一部の特徴は、無視されてもよく、または実行されなくてもよい。また、示されておりまたは議論されている相互間の結合や直接結合や通信接続は、インタフェース、装置またはユニットを介した間接結合や通信接続であり、電気的、機械的、または他の形式である。
【００９３】
上記実施例を実現する方法のすべてまたは一部のステップは、ハードウェアによって実現されてもよく、プログラムで関連ハードウェアに指示して行ってもよい。前記のプログラムは、コンピュータ読み取り可能な記憶媒体に格納される。上記の記憶媒体は、ＲＯＭ、磁気ディスクまたは光ディスクなどである。しかも、本発明の上記実施例の方法におけるステップは、実際の必要に応じて順番の調整、合併および削除が行われてもよい。
【００９４】
本発明の実施例の端末におけるユニットは、実際の必要に応じて合併、区分および削除が行われてもよい。
【００９５】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部またはすべてのユニットを選択して本発明の実施例の目的を実現する。
【００９６】
また、本発明の各実施例における各機能的ユニットは、１つの処理ユニットに一体化されていてもよいし、物理的に別々に設けられていてもよいし、２つ以上が一体化されてもよい。上述した一体化ユニットは、ハードウェアの形態で実現されてもよく、ソフトウェア機能ユニットの形態で実現されてもよい。
【００９７】
前記一体化ユニットは、ソフトウェア機能モジュールの形式で実現され独立した製品として販売または使用される場合、コンピュータ読み取り可能な記憶媒体に格納されてもよい。このような理解に基づき、本発明の技術手段の実質的または従来技術に貢献した部分、または当該技術手段のすべてまたは一部は、ソフトウェアプロダクトの形式で現れる。当該コンピュータソフトウェアプロダクトは、記憶媒体に記憶され、本発明の各実施例の方法のすべてまたは一部をコンピュータ装置（パーソナルコンピュータ、サーバ、又はネットワーク装置であってもよい）に実行させるいくつかの指令を含む。当該記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【００９８】
以上は、本発明の好適な実施例であり、発明に対しあらゆる形式上の限定をしない。当業者が上記実施例に基づいて様々な同等な変更や改良を加えることができ、特許請求の範囲内に為す同等な変化や修飾は、いずれも本発明の範囲内に含まれる。
【００９９】
（付記）
（付記１）
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、
前記オブジェクト読み込み領域に前記業務表が読み込まれたかを判断することと、
前記関係設定領域で前記関係タイプが選択されたかを判断することと、
前記オブジェクト読み込み領域に前記業務表が読み込まれ、かつ前記関係設定領域で前記関係タイプが選択された場合、読み込まれた業務表と選択した関係タイプからページのメタデータを生成することと、
ページ生成指令を受信すると、前記業務シナリオに関連するページをページのメタデータに基づいて生成することとを含むことを特徴とするページ構築方法。
【０１００】
（付記２）
ページ生成指令を受信すると、前記業務シナリオに関連するページをページのメタデータに基づいて生成する前に、
ユーザによる活性化に供する生成アイコンを前記構築インタフェースで設定することと、
前記生成アイコンに対するユーザの活性化操作を受信すると、前記ページ生成指令を生成することとをさらに含むことを特徴とする付記１に記載の方法。
【０１０１】
（付記３）
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする付記１に記載の方法。
【０１０２】
（付記４）
生成した前記ページを表示することをさらに含み、
前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されていることを特徴とする付記１に記載の方法。
【０１０３】
（付記５）
ユーザが前記ページでクリックして選択した業務表を受信すると、前記業務表の属性情報の編集をユーザに供するように前記業務表の属性情報編集ウィンドウを表示することと、
前記業務表の属性情報に対するユーザの編集操作を受信すると、前記業務表の属性情報を編集することとをさらに含むことを特徴とする付記４に記載の方法。
【０１０４】
（付記６）
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供するための提供ユニットと、
前記オブジェクト読み込み領域に前記業務表が読み込まれたか、および前記関係設定領域で前記関係タイプが選択されたかを判断するための判断ユニットと、
前記オブジェクト読み込み領域に前記業務表が読み込まれ、かつ前記関係設定領域で前記関係タイプが選択された場合、読み込まれた業務表と選択した関係タイプからページのメタデータを生成し、ページ生成指令を受信すると、前記業務シナリオに関連するページをページのメタデータに基づいて生成するための生成ユニットとを含むことを特徴とする端末。
【０１０５】
（付記７）
ユーザによる活性化に供する生成アイコンを前記構築インタフェースで設定するための設定ユニットをさらに含み、
前記生成ユニットは、生成アイコンに対するユーザの活性化操作を受信すると、前記ページ生成指令を生成することを特徴とする付記６に記載の端末。
【０１０６】
（付記８）
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする付記６に記載の端末。
【０１０７】
（付記９）
生成した前記ページを表示するための表示ユニットをさらに含み、
前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されていることを特徴とする付記６に記載の端末。
【０１０８】
（付記１０）
前記表示ユニットは、さらに、ユーザが前記ページでクリックして選択した業務表を受信すると、前記業務表の属性情報の編集をユーザに供するように前記業務表の属性情報編集ウィンドウを表示し、
前記業務表の属性情報に対するユーザの編集操作を受信すると、前記業務表の属性情報を編集するための編集ユニットをさらに含むことを特徴とする付記９に記載の端末。
【０１０９】
（付記１１）
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、
前記オブジェクト読み込み領域に前記業務表が読み込まれたかを判断することと、
前記関係設定領域で前記関係タイプが選択されたかを判断することと、
前記オブジェクト読み込み領域に前記業務表が読み込まれ、かつ前記関係設定領域で前記関係タイプが選択された場合、読み込まれた業務表と選択した関係タイプからページのメタデータを生成することと、
ページ生成指令を受信すると、前記業務シナリオに関連するページをページのメタデータに基づいて生成することとを実現するように、
１つ以上のプロセッサに実行される１つ以上のプログラムが格納されていることを特徴とするコンピュータ読み取り可能な記憶媒体。
【０１１０】
（付記１２）
前記業務シナリオに関連するページをページのメタデータに基づいて生成する前に、
さらに、ユーザによる活性化に供する生成アイコンを前記構築インタフェースで設定することと、
前記生成アイコンに対するユーザの活性化操作を受信すると、前記ページ生成指令を生成することとを実現するように、
前記１つ以上のプログラムが前記１つ以上のプロセッサに実行されることを特徴とする付記１１に記載のコンピュータ読み取り可能な記憶媒体。
【０１１１】
（付記１３）
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする付記１１に記載のコンピュータ読み取り可能な記憶媒体。
【０１１２】
（付記１４）
さらに、生成した前記ページを表示することを実現するように、前記１つ以上のプログラムが前記１つ以上のプロセッサに実行され、
前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されていることを特徴とする付記１１に記載のコンピュータ読み取り可能な記憶媒体。
【０１１３】
（付記１５）
さらに、ユーザが前記ページでクリックして選択した業務表を受信すると、前記業務表の属性情報の編集をユーザに供するように前記業務表の属性情報編集ウィンドウを表示することと、
前記業務表の属性情報に対するユーザの編集操作を受信すると、前記業務表の属性情報を編集することとをさらに実現するように、
前記１つ以上のプログラムが前記１つ以上のプロセッサに実行されることを特徴とする付記１４に記載のコンピュータ読み取り可能な記憶媒体。
【０１１４】
（付記１６）
指令を格納するためのメモリと、プロセッサを含むページ構築機器であって、
前記プロセッサは、前記メモリから指令を読み取って、前記指令に基づいて、
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、
前記オブジェクト読み込み領域に前記業務表が読み込まれたかを判断することと、
前記関係設定領域で前記関係タイプが選択されたかを判断することと、
前記オブジェクト読み込み領域に前記業務表が読み込まれ、かつ前記関係設定領域で前記関係タイプが選択された場合、読み込まれた業務表と選択した関係タイプからページのメタデータを生成することと、
ページ生成指令を受信すると、前記業務シナリオに関連するページをページのメタデータに基づいて生成することとを実行することを特徴とするページ構築機器。
【０１１５】
（付記１７）
前記プロセッサは、
前記業務シナリオに関連するページをページのメタデータに基づいて生成する前に、
ユーザによる活性化に供する生成アイコンを前記構築インタフェースで設定することと、
前記生成アイコンに対するユーザの活性化操作を受信すると、前記ページ生成指令を生成することとをさらに実行することを特徴とする付記１６に記載のページ構築機器。
【０１１６】
（付記１８）
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする付記１６に記載のページ構築機器。
【０１１７】
（付記１９）
前記プロセッサは、生成した前記ページを表示することをさらに実行し、
前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されていることを特徴とする付記１６に記載のページ構築機器。
【０１１８】
（付記２０）
前記プロセッサは、
ユーザが前記ページでクリックして選択した業務表を受信すると、前記業務表の属性情報の編集をユーザに供するように前記業務表の属性情報編集ウィンドウを表示することと、
前記業務表の属性情報に対するユーザの編集操作を受信すると、前記業務表の属性情報を編集することとをさらに実行することを特徴とする付記１９に記載のページ構築機器。
【図１】
2019506645.tif 000003
【図２】
2019506645.tif 000004
【図３】
2019506645.tif 000005
【図４】
2019506645.tif 000006
【図５】
2019506645.tif 000007
【図６】
2019506645.tif 000008
【図７】
2019506645.tif 000009
【図８】
2019506645.tif 000010
【図９】
2019506645.tif 000011
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、
前記オブジェクト読み込み領域に前記業務表が読み込まれたかを判断することと、
前記関係設定領域で前記関係タイプが選択されたかを判断することと、
前記オブジェクト読み込み領域に前記業務表が読み込まれ、かつ前記関係設定領域で前記関係タイプが選択された場合、読み込まれた業務表と選択した関係タイプからページのメタデータを生成することと、
ページ生成指令を受信すると、前記業務シナリオに関連するページをページのメタデータに基づいて生成することとを含むことを特徴とするページ構築方法。
【請求項２】
ページ生成指令を受信すると、前記業務シナリオに関連するページをページのメタデータに基づいて生成する前に、
ユーザによる活性化に供する生成アイコンを前記構築インタフェースで設定することと、
前記生成アイコンに対するユーザの活性化操作を受信すると、前記ページ生成指令を生成することとをさらに含むことを特徴とする請求項１に記載の方法。
【請求項３】
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする請求項１に記載の方法。
【請求項４】
生成した前記ページを表示することをさらに含み、
前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されていることを特徴とする請求項１に記載の方法。
【請求項５】
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供するための提供ユニットと、
前記オブジェクト読み込み領域に前記業務表が読み込まれたか、および前記関係設定領域で前記関係タイプが選択されたかを判断するための判断ユニットと、
前記オブジェクト読み込み領域に前記業務表が読み込まれ、かつ前記関係設定領域で前記関係タイプが選択された場合、読み込まれた業務表と選択した関係タイプからページのメタデータを生成し、ページ生成指令を受信すると、前記業務シナリオに関連するページをページのメタデータに基づいて生成するための生成ユニットとを含むことを特徴とする端末。
【請求項６】
ユーザによる活性化に供する生成アイコンを前記構築インタフェースで設定するための設定ユニットをさらに含み、
前記生成ユニットは、生成アイコンに対するユーザの活性化操作を受信すると、前記ページ生成指令を生成することを特徴とする請求項５に記載の端末。
【請求項７】
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする請求項５に記載の端末。
【請求項８】
生成した前記ページを表示するための表示ユニットをさらに含み、
前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されていることを特徴とする請求項５に記載の端末。
【請求項９】
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、
前記オブジェクト読み込み領域に前記業務表が読み込まれたかを判断することと、
前記関係設定領域で前記関係タイプが選択されたかを判断することと、
前記オブジェクト読み込み領域に前記業務表が読み込まれ、かつ前記関係設定領域で前記関係タイプが選択された場合、読み込まれた業務表と選択した関係タイプからページのメタデータを生成することと、
ページ生成指令を受信すると、前記業務シナリオに関連するページをページのメタデータに基づいて生成することとを実現するように、
１つ以上のプロセッサに実行される１つ以上のプログラムが格納されていることを特徴とするコンピュータ読み取り可能な記憶媒体。
【請求項１０】
前記業務シナリオに関連するページをページのメタデータに基づいて生成する前に、
さらに、ユーザによる活性化に供する生成アイコンを前記構築インタフェースで設定することと、
前記生成アイコンに対するユーザの活性化操作を受信すると、前記ページ生成指令を生成することとを実現するように、
前記１つ以上のプログラムが前記１つ以上のプロセッサに実行されることを特徴とする請求項９に記載のコンピュータ読み取り可能な記憶媒体。
【請求項１１】
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする請求項９に記載のコンピュータ読み取り可能な記憶媒体。
【請求項１２】
さらに、生成した前記ページを表示することを実現するように、前記１つ以上のプログラムが前記１つ以上のプロセッサに実行され、
前記ページには、前記業務表に関連する問い合わせ条件の入力をユーザに供し、かつ異なる所定関係タイプが異なる表示テンプレートに対応付けられている問い合わせ領域と、前記表示テンプレートから決定した内容を表示するための問い合わせ結果表示領域が設定されていることを特徴とする請求項９に記載のコンピュータ読み取り可能な記憶媒体。
【請求項１３】
指令を格納するためのメモリと、プロセッサを含むページ構築機器であって、
前記プロセッサは、前記メモリから指令を読み取って、前記指令に基づいて、
所定の業務シナリオから１つの業務シナリオの選択および選択した業務シナリオから少なくとも２つの業務表の選択をユーザに供するためのオブジェクト読み込み領域と、選択した業務表同士の関係を決定するように所定の関係タイプから少なくとも１つの関係タイプの選択をユーザに供するための関係設定領域とを少なくとも含むページの構築インタフェースを提供することと、
前記オブジェクト読み込み領域に前記業務表が読み込まれたかを判断することと、
前記関係設定領域で前記関係タイプが選択されたかを判断することと、
前記オブジェクト読み込み領域に前記業務表が読み込まれ、かつ前記関係設定領域で前記関係タイプが選択された場合、読み込まれた業務表と選択した関係タイプからページのメタデータを生成することと、
ページ生成指令を受信すると、前記業務シナリオに関連するページをページのメタデータに基づいて生成することとを実行することを特徴とするページ構築機器。
【請求項１４】
前記プロセッサは、
前記業務シナリオに関連するページをページのメタデータに基づいて生成する前に、
ユーザによる活性化に供する生成アイコンを前記構築インタフェースで設定することと、
前記生成アイコンに対するユーザの活性化操作を受信すると、前記ページ生成指令を生成することとをさらに実行することを特徴とする請求項１３に記載のページ構築機器。
【請求項１５】
前記所定の業務シナリオは、複数の業務シナリオを含み、前記業務シナリオのそれぞれは、複数の業務表を含み、前記所定の関係タイプは、複数の関係タイプを含み、かつ同一業務シナリオ中の任意２つの業務表の間は、種類の異なる関係タイプが設定できることを特徴とする請求項１３に記載のページ構築機器。
【国際調査報告】
2019506645.tif 000012
2019506645.tif 000013
2019506645.tif 000014
2019506645.tif 000015